(57)【要約】【課題】  自転車のランプ用ダイナモにおいて、ランプとダイナモを繋ぐ導電コードが１本、２本の別を問わず接続可能なダイナモを提供する。【解決手段】  ダイナモケース10上に２つの出力端子４、40を具え自転車上の取付け相手部材81に取り付けるための取付け部材５を具え、取付け部材５は取付け相手部材81に電気的に導通可能であり、一方の出力端子４は該取付け部材５に電気的に接続されている。導電コード91を２本有するランプ９に対しては、２本の導電コードをダイナモ１の２つの出力端子に接続すればよい。導電コード91が１本のランプ９に対しては、取付け部材５に電気的に接続されていない方の出力端子40に導電コード91を接続すればよい。【選択図】  図３
2006015772.tif 000002
【特許請求の範囲】
【請求項１】
ダイナモケース(10)上に２つの出力端子(４)(40)を具え自転車上の取付け相手部材(81)に取り付けるための取付け部材(５)を具えたダイナモにおいて、取付け部材(５)は該取付け相手部材(81)に電気的に導通可能であり、一方の出力端子(４)と取付け部材(５)を電気的に接続したことを特徴とする自転車用ダイナモ。
【請求項２】
ダイナモケース(10)はロータ(２)とステータ(３)を収容する第１室(13)と、取付け部材(５)の一部を収容する第２室(14)とを有し、第１室(13)側に配備されている出力端子(４)上のリード線(31c)が、第２室(14)に収容された取付け部材(５)の一部に電気的に繋がっている請求項１に記載の自転車用ダイナモ。
【請求項３】
第２室(14)の壁面と該第２室(14)に収容された取付け部材(５)との間の隙間(６)に、弾性片(７)が緊密に嵌め込まれ、弾性片(７)と取付け部材(５)との間又は弾性片(７)と第２室(14)の壁面との間にリード線(31c)が挟み込まれている請求項２に記載の自転車用ダイナモ。
【請求項４】
弾性片(７)は導電性の屈曲バネ板(71)である請求項３に記載の自転車用ダイナモ。
【請求項５】
出力端子(４)(40)及び取付け部材(５)の取付け相手部材に固定するための脚部(51)は、蓋体(12)を貫通して外部に突出し、蓋体(12)の内側にて出力端子(４)上のリード線(31c)が、第２室(14)に収容された取付け部材(５)の一部に電気的に繋がっている請求項１乃至４の何れかに記載の自転車用ダイナモ。
【請求項６】
ダイナモケース(10)はケース本体(11)と蓋体(12)とからなり、ステータ(３)の発電コイル(31)の両端は、ステータ(３)上に設けた２つの端子片(42)(42)に接続され、蓋体(12)に設けた出力端子(４)(40)の挟み部(41)(41)に端子片(42)(42)が挟まれ、一方の端子片(42)から取付け部材(５)に電気的に接続するリード線(31c)が延びている請求項１乃至５の何れかに記載の自転車用ダイナモ。
【発明の詳細な説明】
【技術分野】
【０００１】
本発明は、自転車用ダイナモに関する。
【背景技術】
【０００２】
この種ダイナモは、周知の如く、ダイナモケース内に、磁石を具えたロータと、発電コイルを具えたステータを配備し、回転する自転車タイヤとの摩擦によってロータを回転させて発電コイルに電流を生じさせるのである。
ダイナモは、出力端子が１つのもの(特許文献１)と、２つのものがある。
前者は、図１０に示す如く、ダイナモ(１)の発電コイル(31)の一端を出力端子(４)に繋ぎ、発電コイル(31)の他端は、ダイナモ(１)を自転車に取り付けるための導電性取付け部材(５)に電気的に接続している。
上記１出力端子型ダイナモを、取付け部材(５)を介して自転車のフォーク等に取り付け、ランプ(９)を該取付け部材にアースしておくことにより、自転車の車体(８)を導電コード代わりとすることができる。このため、ダイナモ(１)とランプは、１本の導電コード(91)で繋ぐだけで済む。
後者の２出力端子型のダイナモに対応するランプは、２本の導電コードを有しているのは勿論である。
すると、１本の導電コードしか有しないランプは、２出力端子型ダイナモには使用できない問題がある。
【０００３】
【特許文献１】特開平１１−２０８５５０号公報
【発明の開示】
【発明が解決しようとする課題】
【０００４】
本発明は、２出力端子型でありながら１出力端子型の機能も具えており、ランプ側の導電コードが１本、２本の別を問わず電力供給できるダイナモを明らかにするものである。
【課題を解決するための手段】
【０００５】
本発明のダイナモは、ダイナモケース(10)上に２つの出力端子(４)(40)を具え自転車上の取付け相手部材(81)に取り付けるための取付け部材(５)を具えたダイナモにおいて、取付け部材(５)は取付け相手部材(81)に電気的に導通可能であり、一方の出力端子(４)は該取付け部材(５)に電気的に接続されている。
【発明の効果】
【０００６】
導電コード(91)を２本有するランプ(９)に対しては、２本の導電コードをダイナモ(１)の２つの出力端子(４)(40)に接続すればよい。
導電コード(91)が１本のランプ(９)に対しては、取付け部材(５)に電気的に接続されていない方の出力端子(40)に導電コード(91)を接続すればよい。この場合、ダイナモ(１)の発電コイル(31)の一端は、導電コード(91)を通じてランプ(９)に電気的に接続され、発電コイル(31)の他端は、取付け部材(５)、自転車の車体(８)を介してランプ(９)に電気的に接続され、ランプ(９)に電力供給が可能となる。
上記の如く、２つの出力端子(４)(40)の内、一方の出力端子(４)を取付け部材(５)に電気的に接続しておくだけで、ランプ(９)の導電コードが１本か２本かの別を問わず電力供給できる。
【発明を実施するための最良の形態】
【０００７】
図１に示す如く、ダイナモ(１)は、ダイナモケース(10)内に、ロータ(２)及びステータ(３)を配備して構成され、取付け部材(５)によって自転車上の取付け相手部材(81)(図１０参照)に取り付けられる。
図１０に示す如く、実施例の取付け相手部材(81)は、前フォーク(82)上に前方に突設した導電性の支持アーム(80)であって、該支持アーム(80)は、アーム基端にダイナモ(１)を取り付け、先端側にランプ(９)を取り付ける様になっている。
導電コード(91)が１本で済むランプ(９)の場合、支持アーム(80)にランプ(９)を取り付ければ、配線することなく支持アーム(80)にアースされる様になっている。
【０００８】
図１に示すダイナモケース(10)は、底面開口の合成樹脂製のケース本体(11)と該開口に被さる合成樹脂製の蓋体(12)とからなる。
ケース本体(11)は、仕切壁(16)によって第１室(13)と第２室(14)に区画され、第１室(13)にはロータ(２)とステータ(３)が配備され、第２室(14)には取付け部材(５)の一部が収容されている。
ケース本体(11)は第１室(13)の上方に筒状部(15)を有し、筒状部(15)の上端と下端に夫々スラスト荷重とラジアル荷重を受ける軸受(18)(18)が配備されている。
【０００９】
蓋体(12)は、図３に示す如く、ケース本体(11)の底面開口に被さる大きさに形成され、ビス(19)(19)によってケース本体(11)に取り付けられる。
蓋体(12)の前記第１室(13)側には、第２室(14)側に寄りに外向き凸部(17)(17)が突設され、各凸部(17)に出力端子(４)(40)が保持される。
図４に示す如く出力端子(４)(40)は一端を扁平Ｕ字状に屈曲して挟み部(41)を形成し、他端をフック状に屈曲している。
出力端子(４)(40)は、端子片(42)を、前記蓋体(12)上の凸部(17)に開設したスリット孔(17a)に蓋体(12)の内側から挿入して外部に臨出させ、他端は、蓋体(12)の内面に形成した嵌込みスリット(12a)に嵌め込んでいる。
蓋体(12)の第２室(14)側には、後記する取付け部材(５)の脚部(51)が余裕のある状態で貫通する切欠(12b)が開設されている。
【００１０】
図１に示す如く、ロータ(２)は、短い円柱状のマグネット(22)の軸芯に上向きにスピンドル(21)を突設して形成されている。
ロータ(２)は、スピンドル(21)が前記ケース本体(11)の筒状部(15)に嵌まって軸受(18)(18)に回転自由に支持されている。
スピンドル(21)の上端はネジ軸(20)であり筒状部(15)から臨出している。該ネジ軸(20)にワッシャ(25)及びローラ(23)が嵌まってナット(24)止めされ、該ナット(24)にナットカバー(26)が被せられている。
ローラ(23)は自転車タイヤ(83)の側面に接して、回転するタイヤ(83)との摩擦でロータ(２)を回転させる役割をなす。
【００１１】
図２に示す如く、ステータ(３)は、第１鉄芯(34)と第２鉄心(35)からなる鉄芯(33)と、第１鉄心(34)と第２鉄心(35)によって挟持され発電コイル(31)を巻回した合成樹脂製のコイルボビン(32)とによって構成される。
第１鉄芯(34)は、コイルボビン(32)の中央孔(図示せず)に嵌まった円筒状の基部(34b)の上端からコイルボビン(32)の上面上を放射状(実施例では十字状)に延び先端を上向きに屈曲して複数の第１磁極片(34a)を形成している。
第２鉄芯(35)は、コイルボビン(32)の底面に被さり、該周縁に前記第１磁極片(34a)と交互に位置する様に第２磁極片(35a)を突設している。
第１鉄心(35)と第２鉄心(36)は電気的に接続されている。
ステータ(３)は、第１磁極片(34a)及び第２磁極片(35a)が前記マグネット(22)を包囲する様に、ケース本体(11)の第１室(13)の内壁に嵌合して取り付けられる。
【００１２】
コイルボビン(32)の下面には２つの突部(32a)(32a)が形成され、両突部(32a)に設けられたスリットに差し込んで２つの端子片(42)(42)が配備される。
コイルボビン(32)に巻回された発電コイル(31)の一端(31a)は一方の端子片(42)に、コイル他端(31b)は他方の端子片(42)に接続される。
ケース本体(11)に蓋体(12)を取り付けたとき、端子片(42)(42)は、蓋体(12)上の出力端子(４)(40)の挟み部(41)(41)に挟み込まれて接触する。
【００１３】
取付け部材(５)は、ローラ(23)が自転車タイヤ(83)に押圧接触することと、タイヤからの離間することを切り換え可能にダイナモ(１)を自転上に取り付けできる公知の構成(例えば特開平６−７２３６７号)であり、本発明の技術とは直接には関係しないので、構造説明は省略する。取付け部材(５)は導電体である。
取付け部材(５)の構成品の大部分はケース本体(11)の第２室(14)に収容され脚部(51)だけが蓋体(12)の切欠(12b)から外側に突出している。
【００１４】
本発明の特徴は、発電コイル(31)の両端が電気的に繋がった２つの出力端子(４)(40)の内、一方の出力端子(４)と取付け部材(５)を電気的に接続した点である。
図１に示す如く、実施例では、出力端子(４)の挟み部(41)に嵌まった端子片(42)からリード線(31c)を引き出し、ケース本体(11)の仕切壁(16)と取付け部材(５)との間の隙間(６)に緊密に嵌め込んだ弾性片(７)によって、リード線(31c)の先端を挟み込んで、取付け部材(５)に電気的に接続している。
図３に示す如く、弾性片(７)は略Ｖ字状の金属製バネ板(71)であり、リード線(31c)は仕切壁(16)とバネ板(71)との間、又はバネ板(71)と取付け部材(５)との間に挟み込まれる。
弾性片(７)が合成樹脂等、非導電体である場合、リード線(31c)の先端を、弾性片(７)と取付け部材(５)との間に挟み込んでリード線(31c)を直接に取付け部材(５)に接触させればよい。
【００１５】
然して、導電コード(91)を２本有するランプ(９)に対しては、２本の導電コード(91)をダイナモ(１)の２つの出力端子(４)(40)に接続すればよい。
導電コード(91)が１本のランプ(９)に対しては、取付け部材(５)に電気的に接続されていない方の出力端子(40)に導電コード(91)を接続すればよい。この場合、ダイナモ(１)の発電コイル(31)の一端は、導電コード(91)を通じてランプ(９)に電気的に接続され、発電コイル(31)の他端は、取付け部材(５)、取付け相手部材(81)(実施例の場合は、支持アーム(80))を介してランプ(９)に電気的に接続され、ランプ(９)に電力供給が可能となる。
上記の如く、２つの出力端子(４)(40)の内、一方の出力端子(４)を取付け部材(５)に電気的に接続しておくだけで、ランプ(９)の導電コードが１本か２本かの別を問わず電力供給できる。
【００１６】
実施例様の様に、発電コイル(31)を巻回したコイルボビン(32)上に２つの端子片(42)(42)を設けて、発電コイル(31)の両端を端子片(42)(42)に接続し、蓋体(12)に該端子片(42)(42)が嵌まる出力端子(４)(40)を設けておけば、蓋体(12)の取り外しの際に、配線をやり直す必要はない。
出力端子(４)と取付け部材(５)を電気的に繋ぐリード線(31c)は、端子片(42)から延び且つ取付け部材(５)の一部に蓋体(12)の内側にて電気的に接続されているため、蓋体(12)の脱着に影響を受けない。
【００１７】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１８】
【図１】ダイナモの断面図である。
【図２】ステータの斜面図である。
【図３】ダイナモの底部と蓋体の斜面図である。
【図４】図３Ａ−Ａ線に沿う断面図である。
【図５】蓋体を外したダイナモの底面図である。
【図６】ダイナモの底面図である。
【図７】出力端子と取付け部材が電気的接続されていないダイナモの断面図である。
【図８】同上のダイナモの蓋体を外した状態の底面図である。
【図９】同上のダイナモの底面図である。
【図１０】自転車のダイナモとランプを取り付けた状態の説明図である。
【符号の説明】
【００１９】
１  ダイナモ
10  ダイナモケース
11  ケース本体
２  ロータ
３  ステータ
４  出力端子
40  出力端子
42  端子片
５  取付け部材
51  脚部
７  弾性片
71  バネ板
81  取付け相手部材
【図１】
2006015772.tif 000003
【図２】
2006015772.tif 000004
【図３】
2006015772.tif 000005
【図４】
2006015772.tif 000006
【図５】
2006015772.tif 000007
【図６】
2006015772.tif 000008
【図７】
2006015772.tif 000009
【図８】
2006015772.tif 000010
【図９】
2006015772.tif 000011
【図１０】
2006015772.tif 000012